【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  オキサロ酢酸ヒドロラーゼ活性を有するポリペプチドをコードする単離された核酸配列であって：
（ａ）ＳＥＱ  ＩＤ  ＮＯ：２のアミノ酸１〜３４１と少なくとも６５％の同一性を有するアミノ酸配列をもつポリペプチドをコードする核酸配列；
（ｂ）ＳＥＱ  ＩＤ  ＮＯ：１のヌクレオチド１１５７〜１４１１、１５０４〜１６５１及び１７６４〜２３８３から構成されるヌクレオチド配列と少なくとも６５％の相同性を有する核酸配列；
（ｃ）中ストリンジェンシー条件下で（ｉ）ＳＥＱ  ＩＤ  ＮＯ：１の核酸配列、（ii）ＳＥＱ  ＩＤ  ＮＯ：１のｃＤＮＡ配列、（iii)少なくとも１００ヌクレオチドの（ｉ）もしくは（ii）のサブ配列、又は（iv）（ｉ）、（ii）もしくは（iii)の相補鎖とハイブリダイズする核酸配列；
（ｄ）（ａ）、（ｂ）又は（ｃ）のアレル変異体；
（ｅ）（ａ）、（ｂ）、（ｃ）又は（ｄ）のサブ配列、ここで当該サブ配列はオキサロ酢酸ヒドロラーゼ活性を有するポリペプチドフラグメントをコードするものである；
から成る群から選ばれる核酸配列。
【請求項２】  ＳＥＱ  ＩＤ  ＮＯ：２のアミノ酸配列を含んで成るポリペプチドをコードする、又は
ＳＥＱ  ＩＤ  ＮＯ：１の核酸配列と少なくとも６５％の相同性を有する、又は
ＳＥＱ  ＩＤ  ＮＯ：１の核酸配列を有する、又は
大腸菌株ＤＳＭ１２６６０に収容されたプラスミドpHＰ１の中に含まれている、
請求項１記載の核酸配列。
【請求項３】  単離された核酸配列であって、（ａ）ＤＮＡを中ストリンジェンシー条件下で（ｉ）ＳＥＱ  ＩＤ  ＮＯ：１の核酸配列、（ii）ＳＥＱ  ＩＤ  ＮＯ：１のｃＤＮＡ、（iii)少なくとも１００ヌクレオチドの（ｉ）もしくは（ii）のサブ配列、又は（iv）（ｉ）、（ii）もしくは（iii)の相補鎖とハイブリダイゼーションさせ；そして（ｂ）当該核酸配列を単離することにより生産された核酸配列。
【請求項４】  適当な発現宿主内での前記ポリペプチドの産生を指令する１又は複数のコントロール配列に作用可能式に連結された請求項１〜３のいずれか１項記載の核酸配列を含んで成る核酸構築体。
【請求項５】  請求項４記載の核酸構築体、プロモーター、並びに転写及び翻訳停止シグナルを含んで成る組換発現ベクター。
【請求項６】  請求項４記載の核酸構築体を含んで成る組換宿主細胞。
【請求項７】  オキサロ酢酸ヒドロラーゼ活性を有するポリペプチドを生産するための方法であって、（ａ）請求項６記載の宿主細胞を当該ポリペプチドの産生に適した条件下で培養し、そして（ｂ）当該ポリペプチドを回収することを含んで成る方法。
【請求項８】  糸状菌細胞の突然変異細胞を生産するための方法であって、請求項１〜３のいずれか１項記載の核酸又はそのコントロール配列を中断又は欠失させ、もとの細胞よりも少ない量のオキサロ酢酸ヒドロラーゼを産生する突然変異体を生み出すことを含んで成る方法。
【請求項９】  （ａ）親糸状菌細胞に、オキサロ酢酸デヒドロラーゼの産生を司る少なくとも一の遺伝子の修飾を含んで成る核酸配列を導入し；そして
（ｂ）同一条件下で親細胞よりも少ない量のオキサロ酢酸デヒドロラーゼを産生する工程（ａ）由来の突然変異細胞を同定する；
ことを含んで成る請求項８記載の方法。
【請求項１０】  請求項８又は９記載の方法により生産された突然変異細胞。
【請求項１１】  アスペルギルス（Ａｓｐｅｒｇｉｌｌｕｓ）、例えばＡ．ニガー（Ａ．ｎｉｇｅｒ）、アクレモニウム（Ａｃｒｅｍｏｎｉｕｍ）、オーレオバシジウム（Ａｕｒｅｏｂａｓｉｄｉｕｍ）、クリプトコッカス（Ｃｒｙｐｔｏｃｏｃｃｕｓ）、フィリバシジウム（Ｆｉｌｉｂａｓｉｄｉｕｍ）、フサリウム（Ｆｕｓａｒｉｕｍ）、ジッベレラ（Ｇｉｂｂｅｒｅｌｌａ）、ヒュミコラ（Ｈｕｍｉｃｏｌａ）、マグナポルテ（Ｍａｇｎａｐｏｒｔｈｅ）、ムコール（Ｍｕｃｏｒ）、ミセリオフソラ（Ｍｙｃｅｌｉｏｐｈｔｈｏｒａ）、ミロセシウム（Ｍｙｒｏｔｈｅｃｉｕｍ）、ネオカリマスティックス（Ｎｅｏｃａｌｌｉｍａｓｔｉｘ）、ニューロスポラ（Ｎｅｕｒｏｓｐｏｒａ）、ペシロマイセス（Ｐａｅｃｉｌｏｍｙｃｅｓ）、ペニシリウム（ｐｅｎｉｃｉｌｌｉｕｍ）、ピロマイセス（Ｐｉｒｏｍｙｃｅｓ）、シゾフィルム（Ｓｃｈｉｚｏｐｈｙｌｌｕｍ）、タラロマイセス（Ｔａｌａｒｏｍｙｃｅｓ）、サーモアスカス（Ｔｈｅｒｍｏａｓｃｕｓ）、チエラビア（Ｔｈｉｅｌａｖｉａ）、トリポクラジウム（Ｔｏｌｙｐｏｃｌａｄｉｕｍ）、又はトリコデルマ（Ｔｒｉｃｈｏｄｅｒｍａ）株の細胞である、請求項１０記載の突然変異細胞。
【請求項１２】  前記突然変異細胞が親細胞よりも、同一条件下で培養したときに少なくとも約２５％少ない量のオキサロ酢酸ヒドロラーゼ又はシュウ酸を産生する、請求項１０又は１１項記載の突然変異細胞。
【請求項１３】  前記突然変異細胞が１又は複数の第三の核酸配列の１又は複数の修飾を更に含んで成り、ここで当該修飾は当該１又は複数の第三の核酸配列の発現を抑制又は消失させるものである、請求項１０〜１２のいずれか１項記載の突然変異細胞。
【請求項１４】  前記第三の核酸配列がアミノペプチダーゼ、アミラーゼ、カルボヒドラーゼ、カルボキシペプチターゼ、カタラーゼ、セルラーゼ、キチナーゼ、クチナーゼ、シクロデキストリングリコシルトランスフェラーゼ、デオキシリボヌクレアーゼ、エステラーゼ、アルファ−ガラクトシダーゼ、ベータ−ガラクトシダーゼ、グルコアミラーゼ、アルファ−グルコシダーゼ、ベータ−グルコシダーゼ、インベルターゼ、ラッカーゼ、リパーゼ、アンノシダーゼ、ムタナーゼ、オキシダーゼ、ペクチン分解酵素、ペルオキシダーゼ、フィターゼ、ポリフェノールオキシダーゼ、タンパク質分解酵素、リボヌクレアーゼ、トランスグルタミナーゼ及びキシラナーゼから成る群から選ばれる酵素をコードする、請求項１３記載の突然変異細胞。
【請求項１５】  前記突然変異細胞が更にプロテアーゼをコードする１又は複数の遺伝子の修飾を含んで成る、請求項１０〜１４のいずれか１項記載の突然変異細胞。
【請求項１６】  相同産物を生産するための方法であって、（ａ）請求項１０〜１５のいずれか１項記載の突然変異細胞を当該産物の産生が誘導される条件下で培養し、そして（ｂ）当該産物を回収することを含んで成る方法。
【請求項１７】  前記相同産物がクエン酸である、請求項１６記載の方法。
【請求項１８】  異種ポリペプチドをコードする核酸配列を更に含んで成る、請求項１０〜１５のいずれか１項記載の突然変異細胞。
【請求項１９】  異種ポリペプチドを生産するための方法であって、（ａ）請求項１８記載の突然変異細胞を当該ポリペプチドの産生が誘導される条件下で培養し、そして（ｂ）当該ポリペプチドを回収することを含んで成る方法。
【請求項２０】  前記異種ポリペプチドがホルモン、ホルモン変異体、酵素、例えばオキシドリダクターゼ、トランスフェラーゼ、ヒドロラーゼ、リアーゼ、イソメラーゼ、又はリガーゼ、好ましくはアミノペプチターゼ、アミラーゼ、カルボヒドラーゼ、カルボキシペプチターゼ、カタラーゼ、セルラーゼ、キチナーゼ、クチナーゼ、シクロデキストリングリコシルトランスフェラーゼ、デオキシリボヌクレアーゼ、エステラーゼ、アルファ−ガラクトシダーゼ、ベータ−ガラクトシダーゼ、グルコアミラーゼ、アルファ−グルコシダーゼ、ベータ−グルコシダーゼ、インベルターゼ、ラッカーゼ、リパーゼ、アンノシダーゼ、ムタナーゼ、オキシダーゼ、ペクチン分解酵素、ペルオキシダーゼ、フィターゼ、ポリフェノールオキシダーゼ、タンパク質分解酵素、リボヌクレアーゼ、トランスグルタミナーゼ又はキシラナーゼ、レセプター又はその一部、抗体又はその一部、又はリポーターである、請求１９記載の方法。
【請求項２１】  診断酵素としての請求項１〜３のいずれか１項記載の核酸配列によりコードされるオキサロ酢酸デヒドロラーゼの使用。
【請求項２２】  大腸菌株ＤＳＭ  １２２６０又はＤＳＭ  １２６６１の実質的に純粋な培養物。